(57)【特許請求の範囲】
【請求項１】
熱電対（２）のコンタクトエレメント（９，１０）をそれぞれ１つ収容するよう構成された相手側コンタクトエレメント（１１，１２）を少なくとも２つ有する温度測定装置（３）において、
少なくとも２つの前記相手側コンタクトエレメント（１１，１２）の少なくとも１つの第１相手側コンタクトエレメント（１１，１２）に、第１測定センサ（１３，１４）が配置されており、
前記第１測定センサ（１３，１４）によって、前記第１相手側コンタクトエレメント（１１，１２）に差込接続されたコンタクトエレメント（９，１０）の磁気特性が検出され、
前記第１測定センサ（１３，１４）は、駆動ユニット（１５）によって読み出され、
前記駆動ユニット（１５）は、前記第１測定センサ（１３，１４）の出力信号に基づいて、差し込まれている前記熱電対（２）の特性曲線又は特定情報を供給する、
ことを特徴とする温度測定装置（３）。
【請求項２】
少なくとも２つの前記相手側コンタクトエレメント（１１，１２）の少なくとも１つの第２相手側コンタクトエレメント（１１，１２）に、第２測定センサ（１３，１４）が配置されており、
前記第２測定センサ（１３，１４）によって、前記第２相手側コンタクトエレメント（１１，１２）に差し込まれたコンタクトエレメント（９，１０）の磁気特性が検出される、
ことを特徴とする請求項１記載の温度測定装置（３）。
【請求項３】
前記第２測定センサ（１３，１４）は、前記駆動ユニット（１５）によって読み出され、
前記駆動ユニット（１５）は、前記第２測定センサ（１３，１４）の出力信号に基づいて、差し込まれている前記熱電対（２）の特性曲線又は特定情報を供給する、
ことを特徴とする請求項１又は２記載の温度測定装置（３）。
【請求項４】
メモリユニット（１６）に、少なくとも２つの異なる熱電対（２）のタイプに関する特性曲線が記憶されており、
及び／又は、
前記メモリユニット（１６）に記憶された前記特性曲線は、前記駆動ユニット（１５）によって、前記第１測定センサ（１３，１４）及び／又は前記第２測定センサ（１３，１４）の出力信号に基づいて選択及び／又は供給されている、
ことを特徴とする請求項１から３のいずれか一項記載の温度測定装置（３）。
【請求項５】
プラグ収容部（８）に、又は、前記相手側コンタクトエレメント（１１，１２）の近傍に、又は、前記相手側コンタクトエレメント（１１，１２）同士の間に、前記熱電対（２）の比較箇所（６）を規定する温度センサ（１７）が配置されている、
ことを特徴とする請求項１から４のいずれか一項記載の温度測定装置（３）。
【請求項６】
前記第１測定センサ（１３，１４）及び／又は前記第２測定センサ（１３，１４）は、強磁性特性を検出するように構成されている、
ことを特徴とする請求項１から５のいずれか一項記載の温度測定装置（３）。
【請求項７】
前記第１測定センサ（１３，１４）及び／又は前記第２測定センサ（１３，１４）は、有利にはバイアスが加えられた、磁界センサとして構成されている、
ことを特徴とする請求項１から６のいずれか一項記載の温度測定装置（３）。
【請求項８】
プラグ収容部（８）に、前記熱電対（２）の接続プラグ（７）を正しい方向で接続させるための手段（１９）が構成されている、
ことを特徴とする請求項１から７のいずれか一項記載の温度測定装置（３）。
【請求項９】
少なくとも１つの熱電対（２）と、前記熱電対（２）を評価するための温度測定装置（３）とを有する温度測定装置セット（１）であって、
前記熱電対（２）は、該熱電対（２）の測定箇所（４）にて互いに接続された２つの異なる金属から製造されており、
前記熱電対（２）は、温度測定のための比較箇所（６）を形成する少なくとも２つのコンタクトエレメント（９，１０）を有する、
温度測定装置セット（１）において、
前記温度測定装置（３）は、請求項１から８のいずれか一項記載の温度測定装置（３）である、
ことを特徴とする温度測定装置セット（１）。
【請求項１０】
熱電対（２）と共に動作する温度測定装置（３）を設定するための方法において、
前記熱電対（２）を前記温度測定装置（３）に接続した後に、前記熱電対（２）のコンタクトエレメント（９，１０）の磁気特性をチェック又は測定し、
前記磁気特性の前記チェック又は前記測定の結果に基づいて、接続されている前記熱電対（２）の特定情報及び／又は特性曲線を自動的に供給する、
ことを特徴とする方法。
【発明の詳細な説明】
【技術分野】
【０００１】
本発明は、熱電対のコンタクトエレメントをそれぞれ１つ収容するよう構成された相手側コンタクトエレメントを少なくとも２つ有する、形式の温度測定装置に関する。
【０００２】
本発明はさらに、熱電対と、前記熱電対を評価するための温度測定装置とを有する温度測定装置セットであって、前記熱電対は、該熱電対の測定点にて互いに接続された２つの異なる金属から製造されており、前記熱電対は、温度測定のための比較箇所を形成する少なくとも２つのコンタクトエレメントを有する、形式の温度測定装置セットに関する。
【０００３】
最後に、本発明は、熱電対と共に動作する温度測定装置を設定するための方法に関する。
【０００４】
このような形式の温度測定装置セットは公知であり、熱電対によって温度を測定するために使用される。熱電対は、測定箇所と比較箇所との間の温度差を、コンタクトエレメント同士の間の電圧信号に変換にする。
【０００５】
温度測定装置はこの電圧を検出し、これに合わせて温度測定値を供給する。
【０００６】
種々異なる温度測定範囲をカバーするために、熱電対において、種々異なる材料の組み合わせを使用することが知られている。
【０００７】
例えばＪタイプ，Ｋタイプ，Ｔタイプの熱電対が知られており、これらの熱電対においては、熱電対の測定箇所と比較箇所との間の接続線路が、それぞれ異なるペアの金属材料から製造されている。これらの異なる材料同士は、測定箇所にて互いに導電接続されている。また、別のタイプの熱電対も知られている。
【０００８】
形成された電圧から的確な温度測定値を算出できるように、温度測定装置には相応の特性曲線が記憶されている。この場合には、熱電対のそれぞれの材料の組み合わせごとに、すなわち、それぞれの熱電対タイプごとに、１つの特定の特性曲線が記憶されている。なぜなら、それぞれの材料の組み合わせは、測定箇所と比較箇所との間の温度差をそれぞれ異なる方式で電圧信号に変換するからである。
【０００９】
通常は、温度測定装置のユーザが、今からどの熱電対タイプを用いて温度測定を実施するかをそれぞれ設定する。
【００１０】
誤った熱電対タイプが設定されてしまうと、測定箇所の温度を正しく測定することができない。
【００１１】
本発明の基礎となる課題は、温度測定装置の操作特性を改善するである。
【００１２】
この課題は、本発明により、冒頭に述べた形式の温度測定装置において、少なくとも２つの前記相手側コンタクトエレメントの少なくとも１つの第１相手側コンタクトエレメントに、第１測定センサが配置されており、前記第１測定センサによって、前記第１相手側コンタクトエレメントに差込接続されたコンタクトエレメントの磁気特性が検出される、ことを特徴とする温度測定装置によって解決される。本発明はつまり、タイプが異なる熱電対には各々異なる金属材料が使用されており、これらの異なる金属材料同士は互いに異なる磁気特性を有するという知識を利用するものである。この磁気特性の異なりは、第１測定センサによって検出することができ、これによって実際に使用されている熱電対タイプを識別することが可能である。
【００１３】
本発明の１つの実施形態においては、温度測定装置の相手側コンタクトエレメントを、プラグ収容部によって取り囲むことができる。つまりプラグ収容部は、この場合には、少なくとも２つ又は精確に２つの相手側コンタクトエレメントを有する。この場合には、プラグ収容部は、熱電対の適合する接続プラグのために調整及び形成されている。この接続プラグは、複数のコンタクトエレメントを有することができ、これらのコンタクトエレメントは、相手側コンタクトエレメントに接続可能であり、これらのコンタクトエレメント同士は、使用位置にて接続されている。この場合の利点は、プラグ収容部を、接続プラグのコンタクトエレメントのサイズ及び／又は形状及び／又は数に適合することによって、本発明による温度測定装置において、規格化された接続プラグを有する熱電対を使用することができることである。
【００１４】
市販の熱電対は、コンタクトエレメントとしてプラグピンを有しており、本発明による温度測定装置をこのような市販の熱電対と共に動作できるようにするために、相手側コンタクトエレメントは、プラグソケットとして構成することができる。別の実施形態においては、コンタクトエレメントをプラグソケットとして構成し、相手側コンタクトエレメントを、適合するプラグピンとして構成してもよい。
【００１５】
熱電対の比較箇所を温度測定装置の中に挿入できるようにするために、コンタクトエレメントは、熱電対の脚を形成している熱電対の接続線路と、同一の金属材料から製造することができる。したがって各コンタクトエレメントは、熱電対の脚の構成部分とすることができる。
【００１６】
本発明の１つの実施形態においては、少なくとも２つの前記相手側コンタクトエレメントの第２相手側コンタクトエレメントに、第２測定センサが配置されており、前記第２測定センサによって、前記第２相手側コンタクトエレメントの中に差し込まれたコンタクトエレメントの磁気特性が検出される。この場合の利点は、このようにするとさらに多く熱電対のタイプを識別することができることである。なぜなら、１つの熱電対の双方又は２つのコンタクトエレメントの磁気特性を互いに別々に検出及び評価することができるからである。
【００１７】
前記第１測定センサ及び／又は前記第２測定センサは、駆動ユニットによって読み出され、前記駆動ユニットは、前記第１測定センサ及び／又は前記第２測定センサの出力信号に基づいて、差し込まれている前記熱電対の特性曲線又は特定情報を供給することができる。この場合の利点は、温度測定装置の自動設定を実施できることであり、自動設定よって、温度測定装置を、差し込まれている熱電対に適合させることができる。この自動設定は、検出された熱電対タイプに適合した特性曲線が供給されることによって実施することができ、この際、特性曲線によって熱電対の出力電圧を処理することができる。したがって付加的な設定ステップを省略することができ、温度測定装置の使用時に、差し込まれている熱電対に対する特性曲線が誤って選択されるという、典型的なエラー源を排除することができる。
【００１８】
本発明の１つの実施形態においては、メモリユニットに、少なくとも２つの異なる熱電対のタイプに関する特性曲線を記憶することができる。この場合の利点は、測定装置が、複数の異なる熱電対と共に動作可能となることである。
【００１９】
前記メモリユニットに記憶された特性曲線は、駆動ユニットによって、前記第１測定センサ及び／又は前記第２測定センサの前記出力信号に基づいて選択及び／又は供給することができる。この場合の利点は、それぞれ適合した特性曲線が自動的に供給されることによって、測定エラーが回避されることである。
【００２０】
この場合、特性曲線は、特性曲線テーブルとして、又は、パラメータ化された特性曲線のためのパラメータセットとして記憶することができる。第２の場合においては、パラメータは、第１測定センサ及び／又は第２測定センサの出力信号に基づいて定められ、その一方で第１の場合においては、テーブル値は、出力信号に基づいて供給される。
【００２１】
本発明の１つの実施形態においては、プラグ収容部に、又は、相手側コンタクトエレメントの近傍に、又は、相手側コンタクトエレメント同士の間に、熱電対の比較箇所を規定する温度センサを配置することができる。この場合の利点は、測定箇所と比較箇所との間の温度差を測定できるのみならず、比較箇所における温度を測定して、それを前記温度差に加えることによって、測定箇所における絶対的な温度値を計算できることである。
【００２２】
本発明の１つの実施形態においては、第１測定センサは、強磁性特性を検出するように構成されている。第２測定センサも、強磁性特性を検出するように構成することが可能である。有利には、２つの測定センサは、それぞれ同一の強磁性特性を検出するように構成されている。この場合、検出は、磁性材料のパラメータに関する閾値を上回ること又は下回ることを検出することによって実施することができる。検出は、磁性材料のパラメータを測定することによって実施することも可能である。
【００２３】
例えば測定センサは、差し込まれているコンタクトエレメントが強磁性であるか否かを識別できるように、駆動ユニットと協働することができる。
【００２４】
各相手側コンタクトエレメントにそれぞれ測定センサが設けられている場合には、このようにして決定テーブルを形成することができ、テーブルの異なるフィールドには、異なる熱電対タイプが属している。
【００２５】
例えば駆動ユニットは、差し込まれている接続プラグの２つのコンタクトエレメントが双方とも強磁性でない場合にＴタイプの熱電対の特性曲線を選択するよう構成することができる。
【００２６】
強磁性特性を検出するために、第１測定センサ及び／又は第２測定センサは、磁界センサとして構成することができる。この場合には、有利には、磁界センサにバイアスが加えられている。この場合のバイアスとは、測定センサの範囲に形成される磁界が、コンタクトエレメントの中に強磁性材料が存在することによって強められる又は弱められるということを意味している。
【００２７】
例えばこのバイアスは、永久磁石によって形成することができるが、しかしながら、電磁石による磁界形成を使用することも可能である。
【００２８】
本発明の１つの実施形態においては、プラグ収容部に、熱電対の接続プラグを正しい方向で接続させるための手段を構成することができる。この場合の利点は、このようにすれば、接続プラグの各コンタクトエレメントを識別できることであり、したがって、一方のコンタクトエレメントが強磁性であって、他方のコンタクトエレメントが強磁性でないというケースと、前記一方のコンタクトエレメントは強磁性ではなく、前記他方のコンタクトエレメントが強磁性であるという反対のケースとを識別することが可能となる。
【００２９】
したがって、差込プラグを正しい方向に接続させるための手段によれば、熱電対の−脚は、所定の相手側コンタクトエレメント、例えば第１相手側コンタクトエレメントにのみ接続でき、その一方で、熱電対の＋脚は、他方の相手側コンタクトエレメント、例えば第２相手側コンタクトエレメントにのみ接続できるようにすることが簡単に達成される。これによって、さらに多くの異なる熱電対タイプを識別することが可能となる。
【００３０】
これにより、駆動ユニットは、差し込まれている熱電対の少なくとも＋脚又は＋脚のみが強磁性である場合には、Ｊタイプの熱電対の特性曲線を選択するよう構成することができる。択一的又は付加的に、駆動ユニットは、差し込まれている熱電対の少なくとも−脚又は−脚のみが強磁性である場合には、Ｋタイプの熱電対の特性曲線を選択するよう構成することができる。
【００３１】
差込プラグを正しい方向に接続させるための手段は、例えばコンタクトエレメント同士、ひいては相手側コンタクトエレメント同士が、互いに異なる形状又はサイズ又は配置を有することによって、又は、接続プラグとプラグ収容部とが一方向のみの差込接続を許可する相互調整された形状を有することによって、構成することができる。
【００３２】
本発明の課題は、冒頭で述べた形式の温度測定装置セットにおいて、本発明により、温度測定装置が上で説明したように構成されていることを特徴とする温度測定装置セットによって解決される。これによって、正しい熱電対タイプの、間違いやすい手動設定を省略することが可能な、手持ち可能、かつ簡単な温度測定装置セットを提供できる。なぜなら、熱電対タイプの設定を自動的に実施することができるからである。
【００３３】
温度測定装置セットが、熱電対タイプが異なる複数の熱電対を含む場合には特に有利である。このようにすれば、この温度測定装置セットによって広い温度測定範囲をカバーすることができ、本発明により、誤って設定された特性曲線に基づく測定エラーを回避することができる。
【００３４】
本発明の課題は、冒頭に述べた形式の本発明の方法において、熱電対を温度測定装置に接続した後に、熱電対のコンタクトエレメントの磁気特性をチェック又は測定し、前記磁気特性の前記チェック又は前記測定の結果に基づいて、特に前記熱電対の出力信号の評価又は処理のために、接続されている前記熱電対の特定情報又は特性曲線を自動的に供給する、ことを特徴とする方法によって解決される。この場合の利点は、手動による設定ステップを省略できることによって、測定エラー及び手動による誤った設定を回避できることである。有利には、１つ又は複数のコンタクトエレメントの材料が強磁性であるか否かがチェック又は測定される。
【００３５】
熱電対のそれぞれのコンタクトエレメントごとに別々に磁気特性をチェック又は測定すると、特に有利である。この場合の利点は、コンタクトエレメントと、考えられる磁気特性とが書き込まれている決定行列によって、どのタイプの熱電対が実際に温度測定装置に接続されているのかを識別できることである。
【００３６】
特定情報は、例えば、検出された熱電対タイプを表すことができる。しかしながら、設定をできる限り自動化するために、接続されている熱電対の特性曲線を供給するようにすると、特に有利である。つまり、特性曲線を、熱電対によって形成された温度依存性の電圧を評価するために供給及び評価することができる。
【００３７】
以下、本発明を、１つの実施形態に基づいてより詳細に説明する。しかしながら本発明は、この実施形態に限定されない。請求項に記載された１つ又は複数の特徴を互いに組み合わせることによって、及び／又は、実施形態の１つ又は複数の特徴によって、さらなる別の実施形態が生じる。
【図面の簡単な説明】
【００３８】
【図１】本発明の原理を説明するための、本発明による温度測定装置セットの非常に概略的な図である。
【００３９】
図１は、全体として参照符号１が付された温度測定装置セットの非常に簡単な図であり、この図では、本発明を説明するために図示されたコンポーネントのみが示されている。
【００４０】
温度測定装置セット１は、少なくとも１つの熱電対２と、温度測定装置３とを有する。
【００４１】
熱電対２は、公知にように、測定線路５の自由端部にある測定箇所４と比較箇所６との間の温度差を電圧信号に変換するように構成されている。
【００４２】
これに関して、測定線路５は２本の心線を有しており、これら２本の心線は、互いに異なる金属材料から製造されており、測定箇所４にて互いに導電接続されている。
【００４３】
熱電対２は、測定線路５の、測定箇所４とは反対側の端部に接続プラグ７を有しており、熱電対２はこの接続プラグ７を用いて、温度測定装置３に接続すること、ひいては解除可能に導電接続することが可能である。
【００４４】
接続プラグ７は、温度測定装置３のプラグ収容部８の中に差し込むことができる。
【００４５】
接続プラグ７は、２つのコンタクトエレメント９，１０を有する。これらのコンタクトエレメント９，１０は、電気接続のために、プラグ収容部８の適合する相手側コンタクトエレメント１１，１２の中に差し込むことができる。
【００４６】
本実施形態では、接続プラグ７は、熱電対２に関して市販されている形態で構成されている。
【００４７】
つまり、コンタクトエレメント９，１０は、プラグピンとして構成されている。これに対して、相手側コンタクトエレメント１１，１２は、このプラグピンに適合するようプラグソケットとして構成されている。
【００４８】
別の実施形態では別の形態のプラグを実現することができ、例えばコンタクトエレメント９，１０をプラグソケットとして構成し、相手側コンタクトエレメント１１，１２を、適合するプラグピンとして構成することができる。接続プラグ７は、図示したような１つの部材からではなく複数の部材から構成することもでき、コンタクトエレメント９と１０とを互いに分離させることもできる。プラグ収容部も、１つ又は複数の部材から構成することができる。しかしながら、図１に図示したように１つの部材からなる接続プラグ７と、１つの部材からなるプラグ収容部８とを有する実施形態が有利である。
【００４９】
温度測定装置セット１は、同一の温度測定装置３に接続可能な、さらなる別の熱電対２を含むことができる。つまり熱電対２は、熱電対タイプが異なる別の熱電対と交換することが可能である。
【００５０】
コンタクトエレメント９，１０は、各コンタクトエレメント９，１０に直接電気接続されている測定線路５の心線と同一の金属材料から製造されている。
【００５１】
このようにしてコンタクトエレメント９，１０は、熱電対２によって温度測定するための比較箇所６を形成する。というのは、測定線路５の２本の心線の金属材料が互いに異なるので、測定箇所４と比較箇所６との間の温度差により、コンタクトエレメント９とコンタクトエレメント１０との間に電圧差が生じるからである。
【００５２】
コンタクトエレメント９，１０を有する測定線路５の心線は、熱電対２の２つの脚とも呼ばれる。例えばコンタクトエレメント９は、所属する心線とともに＋脚を形成し、その一方でコンタクトエレメント１０は、所属する心線とともに−脚を形成する。
【００５３】
２つの相手側コンタクトエレメント１１，１２の第１相手側コンタクトエレメント１１には第１測定センサ１３が配置されており、この第１測定センサ１３によって、第１相手側コンタクトエレメント１１の中に差し込まれたコンタクトエレメント９の磁気特性を検出することができる。
【００５４】
このようにして、測定センサ１３によって、例えばコンタクトエレメント９の金属が強磁性であるか否かを識別することができる。
【００５５】
２つの相手側コンタクトエレメント１１，１２の第２相手側コンタクトエレメント１２には第２測定センサ１４が配置されており、この第２測定センサ１４によって、第２相手側コンタクトエレメント１２の中に差し込まれたコンタクトエレメント１０の磁気特性を検出することができる。
【００５６】
本実施形態においては、測定センサ１３，１４は、同一の測定原理に基づいて動作する。別の実施形態では、測定センサ１３，１４が互いに異なる物理測定原理に基づいて動作するようにしてもよい。
【００５７】
図１の測定センサ１３，１４は、それぞれ強磁性特性を検出するように構成されている。このことは、測定センサ１３，１４がそれぞれ磁界センサとして構成されることによって達成される。
【００５８】
この磁界センサ、例えばホールセンサには、永久磁石材料又は電磁石によって磁界を形成することによりバイアスを加えることができ、この磁界は、強磁性金属からなるコンタクトエレメント９，１０がそれぞれ相手側コンタクトエレメント１１，１２に接続されると直ぐに変化する。
【００５９】
温度測定装置３には駆動ユニット１５が構成されており、駆動ユニット１５は、第１測定センサ１３及び／又は第２測定センサ１４の出力信号を検出することによって、第１測定センサ１３と、場合によっては第２測定センサとを読み出す。
【００６０】
駆動ユニット１５は、温度測定装置３のメモリユニット１６にアクセスする。メモリユニット１６には、様々な熱電対タイプの特性曲線が記憶されている。
【００６１】
これらの特性曲線は、型どおりに記憶された、パラメータに依存した特性曲線のための値テーブル又はパラメータセットとして記憶することができる。
【００６２】
温度測定装置３は、各熱電対２にそれぞれ適合した特性曲線を用いて、これに関して公知の方法で、コンタクトエレメント９と１０との間に存在する温度依存性の電圧を検出し、この検出した電圧を温度値に変換するように構成されている。この温度値は、測定箇所４における温度、又は、測定箇所４と比較箇所６との間の温度差に相当する。
【００６３】
本発明においては、駆動ユニット１５は、付加的に以下のように構成されている。すなわち、駆動ユニット１５は、第１測定センサ１３及び／又は第２測定センサ１４の出力信号に基づいて、上記の温度値を計算又は算出するためにメモリユニット１６に記憶されている特性曲線が選択されるように構成されている。
【００６４】
このことは例えば、第１測定センサ１３及び／又は第２測定センサ１４の出力信号に対する閾値を、駆動ユニットに予め設定しておくことによって達成することができ、駆動ユニットは、この閾値を下回った場合又は上回った場合に、コンタクトエレメント９，１０が強磁性であると識別するか又は強磁性でないと識別する。
【００６５】
この場合、駆動ユニット１５には２×２サイズの決定行列が予め設定されており、この決定行列の行は、個々の測定センサ１３，１４に割り当てられており、この決定行列の列は、測定センサ１３，１４における各コンタクトエレメント９，１０の強磁性金属の有無に割り当てられている。別の実施形態においては、行及び列を逆にして配置することができる、又は、違ったように配置することができる。
【００６６】
決定行列のフィールドには、様々な熱電対タイプと、これらの熱電対タイプの特性曲線、又は、熱電対タイプごとにそれぞれ特定の別の情報とが書き込まれている。またそれぞれ、特性曲線又はパラメータセットへのアドレス指示又はリンクも書き込むことができる。
【００６７】
温度測定装置３はさらに、温度センサ１７を有する。温度センサ１７は、プラグ収容部８にある相手側コンタクトエレメント１１と１２の間に配置されており、接続プラグ７がプラグ収容部８の中に差し込まれている場合に、比較箇所６における絶対温度を測定することができる。
【００６８】
このようにして、温度センサ１７の測定信号を使用して、測定箇所４と比較箇所６との間の温度差を、測定箇所４における絶対温度に変換することができる。これに関して、熱電対２の両端における温度差と、温度センサ１７における温度値との和が形成及び出力される。
【００６９】
プラグ収容部８には、接続プラグ７を正しい方向で接続させるための手段１８が構成されている。
【００７０】
例えばこの手段１８は、プラグ収容部８の形状によって構成することができ、プラグ収容部８の形状は、接続プラグ７がプラグ収容部８の中に規定の方向にのみ差込可能となるように、接続プラグ７の形状に適合している。
【００７１】
図１には、コンタクトエレメント９，１０が、異なるサイズ、例えば異なる直径及び／又は異なる長さのプラグピンを有することができることが示されている。このことは、強制的に正しい方向に接続させるために利用することができ、これによって相手側コンタクト１１，１２は、それぞれコンタクトエレメント９，１０の一方とのみ適合するようになる。
【００７２】
このようにして、温度測定装置３において、各コンタクトエレメント９，１０を識別することが可能となる。
【００７３】
つまり、熱電対２のいわゆる＋脚と、いわゆる−脚とを識別することが可能である。例えば、熱電対２の＋脚は、第１コンタクトエレメント９に対応づけることができる。そして、熱電対２の−脚は、コンタクトエレメント１０に対応づけることができる。
【００７４】
Ｋタイプの熱電対２の場合には、＋脚はＮｉＣｒ合金を有し、その一方で−脚はニッケルから製造されることが知られている。この場合、ＮｉＣｒ合金は強磁性ではなく、一方でニッケルは強磁性である。
【００７５】
さらにＪタイプの熱電対２は、Ｆｅからなる＋脚と、ＣｕＮｉ合金からなる−脚とを有することが知られている。この場合、鉄は強磁性であり、一方でＣｕＮｉ合金は強磁性ではない。
【００７６】
最後にＴタイプの熱電対２は、銅からなる＋脚と、ＣｕＮｉ合金からなる−脚とを有することが知られている。この場合、銅もＣｕＮｉ合金もそれぞれ強磁性ではない。
【００７７】
したがってこのケースでは、上記の決定行列は、＋脚において、すなわち測定センサ１３において強磁性が検出されず、また−脚においても、すなわち測定センサ１４においても強磁性が検出されない場合には、駆動ユニット１５が熱電対タイプＴを示す又は出力するか、又は、熱電対タイプＴの特性曲線が選択乃至設定されるよう構成されている。
【００７８】
このケースは、相手側コンタクトエレメント１１及び相手側コンタクトエレメント１２における磁気特性を検出するただ１つの測定センサ１３によって識別することも可能である。
【００７９】
決定行列はさらに、＋脚、すなわち第１測定センサ１３が強磁性を検出し、その一方で−脚、すなわち第２測定センサ１４が強磁性を検出しなかった場合に、熱電対タイプＪが示される又は出力されるか、熱電対タイプＪの特性曲線が選択乃至提供されるよう予め定めておくことができる。
【００８０】
決定行列はさらに、＋脚、すなわち第１測定センサ１３が強磁性を検出せず、その一方で−脚、すなわち第２測定センサ１４が強磁性を検出した場合に、熱電対タイプＫが示される又は出力されるか、熱電対タイプＫの特性曲線が選択乃至提供されるよう予め定められている。
【００８１】
各相手側コンタクトエレメント１１，１２は、強磁性でない材料及び／又は同一の材料から製造することができる。
【００８２】
別の実施形態においては、決定行列は、別の数の列、例えば１又は２以上の列を有することができる。例えばこのために、測定センサ１３，１４によって、例えば磁化率又は透磁率といった磁性体のパラメータを磁気特性として測定することができる。磁性体パラメータの値範囲は、決定行列の個々の列に対応づけられている多数のサブ領域に分割することができる。
【００８３】
このようにして、各々異なる熱電対２に対して、強磁性材料の違いさえも識別することが可能となる。
【００８４】
さらにはプラグ収容部８に、差し込まれた接続プラグ７を検出するための手段１９（詳細には図示せず）を構成することができることを述べておく。
【００８５】
このようにすれば、熱電対２が差し込まれていないケースと、熱電対２が差し込まれてはいるが、コンタクトエレメント９，１０が双方とも強磁性ではないというケースとを識別することが可能となる。
【００８６】
上で説明した温度測定装置３を用いて、温度測定装置３を設定するための方法を実施することができ、この方法では、熱電対２が温度測定装置３に接続される。温度測定装置３は、接続プラグ７のコンタクトエレメントの９，１０が所定の磁気特性を有するか否かをチェックする。このチェックは、各コンタクトエレメント９，１０の磁気特性を、それぞれに対応づけられた測定センサ１３，１４を用いて直接的又は間接的に測定することよって実施される。
【００８７】
本実施形態においては、このことは、各測定センサ１３，１４において形成された磁界の変化を測定又は検出することによって測定される。この変化は、各コンタクトエレメント９，１０が、対応する相手側コンタクト１１，１２に存在すること、又は、差込接続されることによって引き起こされるものである。
【００８８】
本実施形態においては、上記検出は、各測定センサ１３，１４の出力信号に対して予め定められた閾値を上回ること又は下回ることを検出及び評価することによって実施される。
【００８９】
さらに、温度測定装置３を用いた本発明の方法では、磁気特性のチェック又は測定の結果に基づいて、接続されている熱電対２の特定情報又は特性曲線が自動的に供給される。特性曲線は、測定箇所４の温度測定値を計算又は算出する際に使用することができる。
【００９０】
上記選択及び上記供給は、例えば―上述したように―決定行列によって実施することができる。
【００９１】
これによって、温度測定装置セット１、特に温度測定装置３は、熱電対２と共に動作するよう設定されている。
【００９２】
少なくとも１つの熱電対２と、温度測定のために熱電対２に接続可能な温度測定装置３とを有する温度測定装置セット１において、熱電対２のコンタクトエレメント９，１０に適合した少なくとも１つの相手側コンタクトエレメント１１，１２に、磁気特性を測定又は検出するための測定センサ１３，１４を配置し、測定センサ１３，１４の出力信号に基づいて、接続されている熱電対２の特定情報又は特性曲線を自動的に選択及び／又は供給することが提案される。
【図１】
0005989140.tif 000002